(57)【要約】【課題】ファイル生成とともにほぼリアルタイムに短時間で正確性の検査を終了することができるファイル化装置とファイル化方法等を提供できる。【解決手段】入力された映像音声ベースバンド信号をエンコードファイル化処理する工程と、エンコードファイル化処理されたファイル化データを外部記憶媒体に記憶させる工程と、外部記憶媒体に記憶させたファイル化データを読み出してデコード処理するとともにシンタックス検査処理を遂行する工程と、デコード処理されたデコード後映像音声ベースバンド信号と、映像音声ベースバンド信号の遅延処理により、デコード後映像音声ベースバンド信号に対して時差のない、入力遅延映像音声ベースバンド信号と、を画素データで比較して映像音声劣化検査結果を出力する工程と、を有するファイル化方法とする。【選択図】図１
2011223365.tif 000002
【特許請求の範囲】
【請求項１】
入力された映像・音声ベースバンドデータをファイル化する装置において、
前記ファイル化後のデータのエンコードの正確性検査処理を遂行するデコード処理部と、
前記デコード処理部の出力と入力された前記映像・音声ベースバンドデータとを比較して、前記ファイル化後のデータの劣化有無検査処理を遂行するベースバンド比較処理部と、を備え
前記ファイル化とともにエンコードの正確性検査処理と前記劣化有無検査処理とを、同時に遂行する
ことを特徴とするファイル化装置。
【請求項２】
請求項１に記載のファイル化装置において、
前記エンコードの正確性を検査する為に、
前記デコード処理部は、前記エンコードしてファイル化されたデータをデコードし、前記ベースバンド比較処理部は、エンコード前の映像・音声ベースバンドデータ信号と画素レベルで比較する
ことを特徴とするファイル化装置。
【請求項３】
請求項１または請求項２に記載のファイル化装置において、
ファイル化しながら順次記録媒体に記録されたファイル化データについて、前記デコード処理部は、追いかけ処理にて順次ファイル化データを読み出して、前記ファイル化後のデータのエンコードの正確性検査処理を遂行する
ことを特徴とするファイル化装置。
【請求項４】
請求項１乃至請求項３のいずれか一項に記載のファイル化装置において、
前記デコード処理部は、デコード時に、ファイルフォーマットのシンタックス検査を遂行する
ことを特徴とするファイル化装置。
【請求項５】
請求項１乃至請求項４のいずれか一項に記載のファイル化装置において、
前記デコード処理部は、デコード時に、エンコードされたファイル化データのパケット情報検査を遂行する
ことを特徴とするファイル化装置。
【請求項６】
請求項１乃至請求項５のいずれか一項に記載のファイル化装置において、
前記デコード処理部と前記ベースバンド比較処理部とは、
検査結果をタイムコードデータと関連づけて出力する
ことを特徴とするファイル化装置。
【請求項７】
請求項６に記載のファイル化装置を備える映像音声再生装置において、
前記検査結果に関連付けられたタイムコードデータに基づいて、任意の時間に映像・音声をジャンプして再生する機能を有する
ことを特徴とする映像音声再生装置。
【請求項８】
請求項１乃至請求項６のいずれか一項に記載のファイル化装置によるファイル化方法において、
入力された映像音声ベースバンド信号をエンコードファイル化処理する工程と、
前記エンコードファイル化処理されたファイル化データを外部記憶媒体に記憶させる工程と、
前記外部記憶媒体に記憶させた前記ファイル化データを読み出してデコード処理するとともにシンタックス検査処理を遂行する工程と、
前記デコード処理されたデコード後映像音声ベースバンド信号と、前記映像音声ベースバンド信号の遅延処理により、前記デコード後映像音声ベースバンド信号に対して時差のない、入力遅延映像音声ベースバンド信号と、を画素データで比較して映像音声劣化検査結果を出力する工程と、
を有することを特徴とするファイル化方法。
【発明の詳細な説明】
【技術分野】
【０００１】
本発明は、ファイル化装置とファイル化方法と映像音声再生装置とに関する。
【背景技術】
【０００２】
映像信号や音声信号の記録は、デジタル化して記憶媒体に記録する手法が利用される。映像信号や音声信号を記録する場合に、デジタル記録用テープデッキのようにストリーム記録する場合もあるが、デジタルデータをファイル化して記録する手法が一般的になりつつある。
【０００３】
また、映像信号や音声信号をデジタル化する際には、Ｈ．２６４やＭＰＥＧ２などの圧縮手法によりデータを圧縮する場合もある。デジタルデータをファイル化する場合に、デジタルデータのファイル化処理が正常に実行されているか否かを検証する。また、デジタルデータの記録時に、生成されたファイルの正確性を検証することは、重要なコンテンツ資産を正確に保存する上で極めて必要性が高い。
【０００４】
従来、生成されたファイルの正確性を検証するには、映像信号と音声信号とのベースバンド入力を有する比較検査装置を利用して、映像の破綻有無を確認する手法を用いていた。
【０００５】
また、ファイルフォーマットの正当性を検証する為には、エンコード処理をしたデータをファイル化し記録媒体への蓄積処理終了後に、検証用のソフトウエアを利用してエンコードの正確性や、書式の妥当性などのシンタックス検査処理を実行していた。この為、映像信号や音声信号の画素自体の破綻有無やデータの予期せぬ変化は、検証されない。
【０００６】
また、ファイル生成後に、ファイルフォーマットの正当性を確認する処理を施したのでは、処理に時間がかかるのでリアルタイム性を欠いてしまうことが懸念される。映像信号や音声信号をファイル化する際に、システムの大型化やリアルタイム性の欠如は運用面において大きな障害である。
【０００７】
例えば、長時間の映像信号や音声信号をファイル化して記録する場合には、大容量のファイルを生成後に検証することとなり、問題点が見つかった場合再度エンコード作業に戻らなければならず時間のロスが大きい。
【０００８】
また、問題点の映像を検証するとき、最終的には、タイムコードなどのデータを基に、入力映像とエンコード後の映像とを目視確認して、問題の有無を判断する作業が必要となる。その場合に、入力された映像信号・音声信号とエンコード後の映像信号・音声信号とを、問題の可能性がある時間に対応する映像信号・音声信号のデータについて確認する必要があり、この点に於いても時間のロスが大きい。記録再生装置におけるタイムコ−ド管理方式は、例えば下記特許文献１に開示されている。
【先行技術文献】
【特許文献】
【０００９】
【特許文献１】特開２０００−１２５２４０号公報
【発明の概要】
【発明が解決しようとする課題】
【００１０】
本発明はこのような問題点に鑑みなされたものであり、映像信号および音声信号をファイル化する際の正確性確認について、ベースバンド信号方式に依存することを解消するとともに、正確性確認処理の完了までに時間を要する問題を解消するファイル化装置とファイル化方法等を提供することを目的とする。
【課題を解決するための手段】
【００１１】
本発明のファイル化装置は、入力された映像・音声ベースバンドデータをファイル化する装置において、ファイル化後のデータのエンコードの正確性検査処理を遂行するデコード処理部と、デコード処理部の出力と入力された映像・音声ベースバンドデータとを比較して、ファイル化後のデータの劣化有無検査処理を遂行するベースバンド比較処理部とを備え、ファイル化とともにエンコードの正確性検査処理と劣化有無検査処理とを同時に遂行することを特徴とする。
【００１２】
また、本発明のファイル化装置は、好ましくはエンコードの正確性を検査する為に、デコード処理部が、エンコードしてファイル化されたデータをデコードし、ベースバンド比較処理部は、エンコード前の映像・音声ベースバンドデータ信号と画素レベルで比較することを特徴とする。
【００１３】
また、本発明のファイル化装置は、さらに好ましくはファイル化しながら順次記録媒体に記録されたファイル化データについて、デコード処理部は、追いかけ処理にて順次ファイル化データを読み出して、ファイル化後のデータのエンコードの正確性検査処理を遂行することを特徴とする。
【００１４】
また、本発明のファイル化装置は、さらに好ましくはデコード処理部が、デコード時に、ファイルフォーマットのシンタックス検査を遂行することを特徴とする。
【００１５】
また、本発明のファイル化装置は、さらに好ましくはデコード処理部が、デコード時に、エンコードされたファイル化データのパケット情報検査を遂行することを特徴とする。
【００１６】
また、本発明のファイル化装置は、さらに好ましくはデコード処理部とベースバンド比較処理部とが、検査結果をタイムコードデータと関連づけて出力することを特徴とする。
【００１７】
また、本発明の映像音声再生装置は、上述のファイル化装置を備える映像音声再生装置において、検査結果に関連付けられたタイムコードデータに基づいて、任意の時間に映像・音声をジャンプして再生する機能を有することを特徴とする。
【００１８】
また、本発明のファイル化方法は、上述のファイル化装置によるファイル化方法において、入力された映像音声ベースバンド信号をエンコードファイル化処理する工程と、エンコードファイル化処理されたファイル化データを外部記憶媒体に記憶させる工程と、外部記憶媒体に記憶させたファイル化データを読み出してデコード処理するとともにシンタックス検査処理を遂行する工程と、デコード処理されたデコード後映像音声ベースバンド信号と、映像音声ベースバンド信号の遅延処理により、デコード後映像音声ベースバンド信号に対して時差のない、入力遅延映像音声ベースバンド信号と、を画素データで比較して映像音声劣化検査結果を出力する工程とを有することを特徴とする。
【発明の効果】
【００１９】
ファイル生成しながら、ファイル化されたデータを入力信号と画素レベルで比較することで、誤ったデータに変化していないか、またファイルの書式やエンコード後のデータに問題があるか否かを、パイプライン処理（電子回路処理）にて遂行する。これにより、ファイル生成とともにほぼリアルタイムに短時間で正確性の検査を終了することができるファイル化装置とファイル化方法等を提供できる。
【図面の簡単な説明】
【００２０】
【図１】実施形態のファイル化装置の構成概要を説明する図である。
【図２】ベースバンド比較処理部の構成概念を説明するブロック図である。
【図３】本実施形態のファイル化装置の処理フローを説明する図である。
【図４】従来の処理フローを説明する図である。
【発明を実施するための形態】
【００２１】
実施形態で説明するファイル化装置は、映像信号および音声信号をファイル化する場合に、入力される映像信号および音声信号と、ファイル化されたデータを画素レベルで比較する。また、画素レベルでの比較時には、ファイルフォーマットやエンコードフォーマットの正当性を同時に確認するファイル化装置とする。
【００２２】
図１は、実施形態のファイル化装置１０００の構成概要を説明する図である。図１に示すように、ファイル化装置１０００は、データをエンコード化するとともにファイル化するエンコードファイル化処理部１０１０を備える。
【００２３】
また、ファイル化装置１０００は、エンコードファイル化処理部１０１０でファイル化されたファイルデータを記憶する映像・音声ファイル記録媒体１１００を備える。また、ファイル化装置１０００は、映像・音声ファイル記録媒体１１００に記憶されているファイルデータを読み出してデコード処理するとともに、シンタックス検査を遂行してシンタックス検査結果を出力するデコード処理部１０２０を備える。
【００２４】
また、ファイル化装置１０００は、入力された映像信号や音声信号を所定時間だけ遅延させる遅延処理部１０３０を備える。また、ファイル化装置１０００は、デコード処理部１０２０でデコード処理された映像信号および音声信号と、遅延処理部１０３０で遅延させた入力映像信号および入力音声信号と、を画素レベルで比較して正確性を確認するとともに、正確性の確認結果を映像・音声劣化検査結果として出力するベースバンド比較処理部１０４０を備える。
【００２５】
図１において、エンコードファイル化処理部１０１０には、ファイル化装置１０００外部から映像・音声ベースバンドデータが入力される。また、エンコードファイル化処理部１０１０は、入力された映像・音声ベースバンドデータに対して、必要に応じて圧縮処理を遂行する。
【００２６】
また、エンコードファイル化処理部１０１０からの出力は、ファイル形式とされている。また、エンコードファイル化処理部１０１０から出力されたファイル形式のファイルデータは、対応するファイル形式によってファイルデータの最初の部分にヘッダー情報が付与され、またファイルデータの最後の部分にフッター情報が付与される。
【００２７】
また、エンコードファイル化処理部１０１０のファイルデータ出力は、映像・音声ファイル記録媒体１１００に順次入力され、エンコードファイル化処理部１０１０によるエンコード開始直後から、映像・音声ファイル記録媒体１１００に順次記録される。
【００２８】
また、エンコードファイル化処理部１０１０により生成されたファイル化データの映像・音声ファイル記録媒体１１００への書き込み直後から、デコード処理部１０２０が、ほぼリアルタイムで映像・音声ファイル記録媒体１１００に記録されたファイルデータを読み出し、デコード処理を開始する。これにより、デコード処理部１０２０は、デコードされた映像・音声のベースバンドデータを、ベースバンド比較処理部１０４０に出力する。
【００２９】
また、デコード処理部１０２０は、デコード処理する際に、エンコードファイル化処理部１０１０が正常に機能しているか否かについて確認し、例えばパケット情報を検査する。また、図１に示すように、デコード処理部１０２０は、デコード処理と同時に遂行するシンタックス検査の進捗状況に対応してシンタックス検査結果をタイムコードデータと共に順次出力する。
【００３０】
また、遅延処理部１０３０は、映像・音声ベースバンド入力の信号を所定の時間（Ｔ）だけ遅延して出力する。所定の時間（Ｔ）は、映像・音声ベースバンドデータ入力の任意の画素データについて、エンコードファイル化処理部１０１０によるエンコード処理が遂行され、ファイル化された当該画素データが映像・音声ファイル記録媒体１１００に記録され、記録された当該画素データをデコード処理部１０２０でデコード処理するのに要する時間とすることが好ましい。これにより、遅延処理部１０３０から出力される遅延された映像・音声ベースバンド入力と、デコード処理部１０２０から出力されるデコードされた映像・音声信号との時差がなくなる。
【００３１】
また、ベースバンド比較処理部１０４０は、遅延処理部１０３０からの入力と、デコード処理部１０２０からの入力とを比較し、タイムコードデータと共に比較結果を映像音声劣化検査結果として順次出力する。
【００３２】
また、エンコードファイル化処理部１０１０は、エンコードファイル化処理の開始直後から順次ファイル化データを出力し、映像・音声ファイル記録媒体１１００に記憶させる。すなわち、エンコードファイル化処理部１０１０は、処理の開始とともにハードディスクやメモリなどの記録媒体１１００に処理後のデータの記録を開始させる。この際、記録されている同一ファイルに対して読み出し可能な属性で記録するものとする。
【００３３】
また、記録媒体１１００への記録開始とほぼ同時に、デコード処理部１０２０が記録データを読み出してデコード処理を開始する。デコード処理部１０２０からの出力は、ベースバンド比較処理部１０４０に入力される。
【００３４】
また、ベースバンド比較処理部１０４０において、映像・音声ベースバンド入力を遅延させた遅延処理部１０３０の出力と、デコード処理部１０２０からの出力とについて、ベースバンド比較検査処理が遂行される。ベースバンド比較処理部１０４０による比較結果は、映像・音声劣化検査結果としてタイムコード情報と共に出力される。
【００３５】
デコード処理部１０２０は、デコード処理を実行すると同時に、エンコードファイル化処理部１０１０が出力したファイル化データのシンタックス検査処理を実行する。このシンタックス検査処理には、ファイルフォーマットの検査と、エンコードフォーマットの検査等が含まれる。
【００３６】
図２は、ベースバンド比較処理部１０４０の構成概念を説明するブロック図である。図２に示すように、ベースバンド比較処理部１０４０は、空間フィルタＡ１０４１と、空間フィルタＢ１０４２と、差分検出部１０４５とを備える。また、遅延処理部１０３０から出力された入力遅延映像音声ベースバンド信号は、空間フィルタＡ１０４１に入力される。
【００３７】
また、空間フィルタＡ１０４１は、エンコードファイル化処理部１０１０でエンコードファイル化処理する際のビットレートおよび解像度に対応するように、入力遅延映像音声ベースバンド信号を最適化する。また、解像度を低くする場合と、ビットレートを低くする場合とには、空間フィルタＡ１０４１は、低域のみを通過させるものとする。
また、解像度の変更が少なくかつビットレートが高い場合、すなわち、エンコードファイル化処理部１０１０でのファイル化処理による画質劣化が少ない場合には、空間フィルタＡ１０４１は無処理に近い状態としてもよい。
【００３８】
また、空間フィルタＢ１０４２の機能と処理内容とは、空間フィルタＡ１０４１と同一であるので、ここでは説明を省略する。また、差分検出部１０４５は、空間フィルタＡ１０４１の出力と、空間フィルタＢ１０４２の出力との差分を検出し、検出した差分を映像音声劣化検査結果としてタイムコードを付与して出力する。
【００３９】
また、図３は、本実施形態のファイル化装置１０００の処理フローを説明する図である。図３に示すように、ファイル化装置１０００は、入力された映像・音声ベースバンド信号について、エンコードファイル化処理を遂行すると同時に処理が終了したデータから順次デコード処理とシンタックス検査処理とを遂行する。
【００４０】
このため、入力された映像・音声ベースバンド信号について、ファイル化処理とともにほぼリアルタイムでシンタックス検査処理が追随して処理される。また、デコード処理が遂行された映像・音声ベースバンド信号から順次ベースバンド比較処理が遂行されて、画素レベルでのデータの欠陥や劣化が、ほぼリアルタイムで抽出できることとなる。
【００４１】
また、ベースバンド比較処理部１０４０で時差のないスムースな差分検出を遂行するために、遅延処理部１０３０は、任意の画素データについてのエンコードファイル化処理時間と記録読み出し時間を含めたデコード時間とを合算した遅延時間（Ｔ）だけ営巣・音声ベースバンド入力を遅延させることが好ましい。
【００４２】
また、図４は、従来の処理フローを説明する図である。図４に示すように、従来、ファイル化処理が全て完了した後に、シンタックス検査処理を遂行開始していたため、ファイル化処理の開始からシンタックス検査処理の完了までに比較的時間を要することとなっていた。
【００４３】
実施形態の映像・音声のベースバンド入力信号は、エンコード処理にて、必要に応じてＨ．２６４やＭＰＥＧ２などに圧縮処理され、ファイル化され映像・音声ファイル記録媒体に記録される。記録開始直後から、デコード処理にてデコード処理とファイルフォーマットや、エンコードデータのシンタックス検査処理にて、シンタックス検査結果を出力する。また、その出力は映像・音声ベースバンド入力を遅延処理された信号と共に、ベースバンド比較処理にて映像・音声劣化検査結果を出力する。
【００４４】
実施形態で開示する発明により、映像信号および音声信号をファイル化する際の正確性確認について、ベースバンド信号方式に依存することを解消するとともに、正確性確認処理の完了までに時間を要する問題を解消するファイル化装置とファイル化方法を提供できる。
【００４５】
また、上述したファイル化装置を備える映像音声再生装置において、検査結果に関連付けられたタイムコードデータに基づいて、任意の時間に映像・音声をジャンプして再生する機能を有する映像音声再生装置としてもよい。
【産業上の利用可能性】
【００４６】
本発明は、ファイル化装置とファイル化方法等に幅広く利用できる。
【符号の説明】
【００４７】
１０００・・ファイル化装置、１０１０・・エンコードファイル化処理部、１０２０・・デコード処理部、１０３０・・遅延処理部、１０４０・・ベースバンド比較処理部、１１００・・映像・音声ファイル記録媒体。
【図１】
2011223365.tif 000003
【図２】
2011223365.tif 000004
【図３】
2011223365.tif 000005
【図４】
2011223365.tif 000006